(57)【要約】【課題】被写体人物を所望の位置にスムーズに誘導できる情報処理装置を提供すること。【解決手段】情報処理装置１００は、カメラ部１２と、撮影者が視認可能な表示部２０と、被写体人物が視認可能な表示部１０とを備え、表示部２０と表示部１０のそれぞれにスルー画を表示する。マーカ情報生成部４は、被写体人物の現在位置を示す被写体マーカと、被写体人物の誘導先を示し、撮影者がスルー画での表示位置を任意に指定可能な操作マーカとを生成する。内包矩形情報生成部６は、被写体マーカおよび操作マーカを含む包含領域を生成する。画像処理部８は、表示部１０に表示するスルー画に被写体マーカおよび操作マーカを合成し、予め定められた倍率に基づいて包含領域を拡大表示する。【選択図】図３
2014027578.tif 000002
【特許請求の範囲】
【請求項１】
カメラ部と、撮影者が視認可能な第１表示部と、前記第１表示部とは別に、被写体人物が視認可能な第２表示部とを備え、前記カメラ部で撮影されるスルー画を、前記第１表示部および前記第２表示部のそれぞれに表示する情報処理装置であって、
前記被写体人物の現在位置を示す被写体マーカと、前記被写体人物の誘導先を示し、前記撮影者が前記スルー画での表示位置を任意に指定可能な操作マーカとを生成するマーカ生成部と、
前記被写体マーカおよび前記操作マーカを含む内包矩形を生成する内包矩形生成部と、
表示するスルー画に前記被写体マーカおよび前記操作マーカを合成し、前記第１表示部はそのまま表示し、前記第２表示部は予め定められた倍率に基づいて前記内包矩形を拡大表示する画像処理部と、
を備える、情報処理装置。
【請求項２】
前記カメラ部と前記操作マーカとの間の距離に基づいて、前記画像処理部に実行させる前記第２表示部の誘導機能を切り替える誘導機能選択部をさらに有し、
前記誘導機能選択部は、
前記距離が第１閾値未満である場合、前記第２表示部に表示するスルー画に前記被写体マーカおよび前記操作マーカを合成して表示する通常誘導機能を選択し、
前記距離が前記第１閾値以上第２閾値未満である場合、前記第２表示部に表示するスルー画に前記被写体マーカおよび前記操作マーカを合成し、予め定められた倍率に基づいて前記包含領域を拡大表示する第１拡大誘導機能を選択し、
前記距離が前記第２閾値以上である場合、前記第２表示部に表示するスルー画に前記被写体マーカおよび前記操作マーカを合成し、予め定められた倍率に基づいて前記被写体マーカを中心にして拡大表示する第２拡大誘導機能を選択する、
請求項１記載の情報処理装置。
【請求項３】
前記画像処理部は、
前記第２拡大誘導機能の実行時、前記操作マーカを、前記誘導先の方向を示す形状で表示し、
前記被写体人物が前記誘導先の位置に近づく移動に伴って、前記第２表示部のスルー画をズームアウトし、
前記誘導先の方向を示す形状から、前記誘導先の位置を示す形状に変更して表示する、
請求項２記載の情報処理装置。
【請求項４】
前記画像処理部は、
前記操作マーカの表示位置が指定されると、その時点でのスルー画において前記指定された操作マーカの表示位置を固定する、
請求項１記載の情報処理装置。
【請求項５】
前記マーカ生成部は、
前記操作マーカおよび前記被写体マーカの色を、前記スルー画において前記操作マーカおよび前記被写体マーカの表示が予定される位置の色に応じて変化させる、
請求項１記載の情報処理装置。
【請求項６】
前記マーカ生成部は、
前記第２表示部のスルー画に前記被写体人物が複数表示されている場合、選択された被写体人物に対して前記被写体マーカを生成する、
請求項１記載の情報処理装置。
【請求項７】
前記第１表示部と前記第２表示部とは背中合わせであり、
前記第１表示部のスルー画と、前記第２表示部のスルー画とは、左右が反転して表示される、
請求項１から６のいずれか１項に記載の情報処理装置。
【請求項８】
カメラ部と、撮影者が視認可能な第１表示部と、前記第１表示部とは別に、被写体人物が視認可能な第２表示部とを備え、前記カメラ部で撮影されるスルー画を、前記第１表示部および前記第２表示部のそれぞれに表示する装置が行う情報処理方法であって、
前記被写体人物の現在位置を示す被写体マーカと、前記被写体人物の誘導先を示し、前記撮影者が前記スルー画での表示位置を任意に指定可能な操作マーカとを生成するステップと、
前記被写体マーカおよび前記操作マーカを含む内包矩形を生成するステップと、
表示するスルー画に前記被写体マーカおよび前記操作マーカを合成し、前記第１表示部はそのまま表示し、前記第２表示部は予め定められた倍率に基づいて前記内包矩形を拡大表示するステップと、
を有する、情報処理方法。
【請求項９】
カメラ部と、撮影者が視認可能な第１表示部と、前記第１表示部とは別に、被写体人物が視認可能な第２表示部とを備え、前記カメラ部で撮影されるスルー画を、前記第１表示部および前記第２表示部のそれぞれに表示する装置のコンピュータに実行させる情報処理プログラムであって、
前記被写体人物の現在位置を示す被写体マーカと、前記被写体人物の誘導先を示し、前記撮影者が前記スルー画での表示位置を任意に指定可能な操作マーカとを生成する処理と、
前記被写体マーカおよび前記操作マーカを含む内包矩形を生成する処理と、
表示するスルー画に前記被写体マーカおよび前記操作マーカを合成し、前記第１表示部はそのまま表示し、前記第２表示部は予め定められた倍率に基づいて前記内包矩形を拡大表示する処理と、
を実行させる、情報処理プログラム。
【発明の詳細な説明】
【技術分野】
【０００１】
本発明は、表示部およびカメラを備えた端末に適用される、情報処理装置、情報処理方法、および情報処理プログラムに関する。
【背景技術】
【０００２】
近年、例えば、携帯電話、スマートフォン、およびタブレットなど、表示部およびカメラを備えた端末が普及している。このような端末の例は、特許文献１に開示されている。
【０００３】
特許文献１の端末は、撮影の際、表示部に表示されたスルー画（「プレビュー画像」ともいう）上で被写体となる人物（以下「被写体人物」という）の位置を設定する。次に、特許文献１の端末は、音声の出力または矢印の表示により、設定した位置に被写体人物を誘導することができる。
【先行技術文献】
【特許文献】
【０００４】
【特許文献１】特開２０１１−１９０５１号公報
【発明の概要】
【発明が解決しようとする課題】
【０００５】
しかしながら、特許文献１の端末は、音声の出力、または矢印の表示による指示内容が単一的で具体性に欠けるため、被写体人物を所望の位置にスムーズに誘導できない、という課題がある。
【０００６】
本発明の目的は、被写体人物を所望の位置にスムーズに誘導することである。
【課題を解決するための手段】
【０００７】
本発明の一態様に係る情報処理装置は、カメラ部と、撮影者が視認可能な第１表示部と、前記第１表示部とは別に、被写体人物が視認可能な第２表示部とを備え、前記カメラ部で撮影されるスルー画を、前記第１表示部および前記第２表示部のそれぞれに表示する情報処理装置であって、前記被写体人物の現在位置を示す被写体マーカと、前記被写体人物の誘導先を示し、前記撮影者が前記スルー画での表示位置を任意に指定可能な操作マーカとを生成するマーカ生成部と、前記被写体マーカおよび前記操作マーカを含む内包矩形を生成する内包矩形生成部と、表示するスルー画に前記被写体マーカおよび前記操作マーカを合成し、前記第１表示部はそのまま表示し、前記第２表示部は予め定められた倍率に基づいて前記内包矩形を拡大表示する画像処理部と、を備える。
【０００８】
本発明の一態様に係る情報処理方法は、カメラ部と、撮影者が視認可能な第１表示部と、前記第１表示部とは別に、被写体人物が視認可能な第２表示部とを備え、前記カメラ部で撮影されるスルー画を、前記第１表示部および前記第２表示部のそれぞれに表示する装置が行う情報処理方法であって、前記被写体人物の現在位置を示す被写体マーカと、前記被写体人物の誘導先を示し、前記撮影者が前記スルー画での表示位置を任意に指定可能な操作マーカとを生成するステップと、前記被写体マーカおよび前記操作マーカを含む内包矩形を生成するステップと、表示するスルー画に前記被写体マーカおよび前記操作マーカを合成し、前記第１表示部はそのまま表示し、前記第２表示部は予め定められた倍率に基づいて前記内包矩形を拡大表示するステップと、を有する。
【０００９】
本発明の一態様に係る情報処理プログラムは、カメラ部と、撮影者が視認可能な第１表示部と、前記第１表示部とは別に、被写体人物が視認可能な第２表示部とを備え、前記カメラ部で撮影されるスルー画を、前記第１表示部および前記第２表示部のそれぞれに表示する装置のコンピュータに実行させる情報処理プログラムであって、前記被写体人物の現在位置を示す被写体マーカと、前記被写体人物の誘導先を示し、前記撮影者が前記スルー画での表示位置を任意に指定可能な操作マーカとを生成する処理と、前記被写体マーカおよび前記操作マーカを含む内包矩形を生成する処理と、表示するスルー画に前記被写体マーカおよび前記操作マーカを合成し、前記第１表示部はそのまま表示し、前記第２表示部は予め定められた倍率に基づいて前記内包矩形を拡大表示する処理と、を実行させる。
【発明の効果】
【００１０】
本発明は、被写体人物を所望の位置にスムーズに誘導することができる。
【図面の簡単な説明】
【００１１】
【図１】本発明の実施の形態１に係る情報処理装置の外観の一例を示す図
【図２】本発明の実施の形態１に係る情報処理装置の変形の遷移例を示す図
【図３】本発明の実施の形態１に係る情報処理装置の構成の一例を示すブロック図
【図４】本発明の実施の形態１に係る情報処理装置の動作の一例を示すフローチャート
【図５】本発明の実施の形態１に係る情報処理装置のスルー画表示の一例を示す図
【図６】本発明の実施の形態２に係る情報処理装置の構成の一例を示すブロック図
【図７】本発明の実施の形態２に係る情報処理装置の動作の一例を示すフローチャート
【図８】本発明の実施の形態２に係る情報処理装置の誘導機能判定用テーブルの一例を示す図
【図９】本発明の実施の形態２に係る情報処理装置のスルー画表示の一例を示す図
【図１０】本発明の実施の形態２に係る情報処理装置のスルー画表示の一例を示す図
【図１１】本発明の実施の形態２に係る情報処理装置の構成の変形例を示すブロック図
【発明を実施するための形態】
【００１２】
（実施の形態１）
以下、本発明の実施の形態１について、図面を参照して詳細に説明する。
【００１３】
＜情報処理装置１００の外観＞
図１は、本実施の形態に係る情報処理装置の外観の一例を示す図である。情報処理装置１００の適用先は、スマートフォン、タブレットなどが挙げられる。
【００１４】
図１において、情報処理装置１００は、筐体１および筐体２を有する。筐体１と筐体２は、それぞれ、平板状である。そして、筐体１と筐体２は、ヒンジ１７を介して接続されており、回動可能である。
【００１５】
また、筐体１は表示部１０を有し、筐体２は表示部２０を有する。表示部１０および２０は、例えば、ＬＣＤ（Liquid Crystal Display）、有機ＥＬディスプレイ（organic electroluminescence display）などが挙げられる。なお、表示部１０および２０は、タッチパネル（後述する操作部１３の一例）を備えてもよい。
【００１６】
また、筐体１は、カメラ部１２を有する。また、図示していないが、筐体１および筐体２は、所定の位置に、物理キー（後述する操作部１３の一例）を有する。
【００１７】
ユーザは、このような情報処理装置１００に対して変形操作を行うことで、第１形態と第２形態とを切り替えることができる。変形操作は、筐体１および筐体２の少なくとも１つを回動させることで、情報処理装置１００の外観を変形させる操作である。また、第１形態は、筐体１と筐体２とが並んだ状態となり、ユーザが同時にタッチパネル１０および２０の両方を視認できる状態をいう。一方、第２形態は、筐体１と筐体２とが重なった状態となり、ユーザがタッチパネル１０または２０のいずれか一方のみを視認できる状態をいう。
【００１８】
＜情報処理装置１００の変形＞
図２は、ユーザの変形操作により情報処理装置１００が変形する様子をそれぞれ示す図である。
【００１９】
図２Ａは、情報処理装置１００の第１状態を示している。第１状態のときに、ユーザが変形操作を行うと、情報処理装置１００は、図２Ｂに示す状態になる。
【００２０】
図２Ｂにおいて、筐体１と筐体２は、ヒンジ１７を頂点とした山状に折り曲がっている。図２Ｂに示す状態は、過渡状態の一例である。過渡状態とは、第１状態と第２状態との間の状態であり、第１状態から第２の状態へ変化する途中、または、第２状態から第１状態へと変化する途中の状態である。
【００２１】
図２Ｂに示す状態のときに、ユーザがさらに変形操作を行うと、情報処理装置１００は、図２Ｃに示す第２状態になる。また、図２Ｃにおいて、筐体１と筐体２とが重ね合わさることで、タッチパネル１０とタッチパネル２０とは、背中合わせになり、外部に露出した状態となっている。
【００２２】
なお、図２では、例として、第１状態から第２状態への遷移を示したが、その逆も可能である。すなわち、図２Ｃに示す第２状態のときに、ユーザが変形操作を行うと、情報処理装置１００は、図２Ｂに示す過渡状態を経て、図２Ａに示す第１状態になる。
【００２３】
本実施の形態は、情報処理装置１００が第２形態のときに、撮影が行われることを前提とする。撮影者が被写体人物にカメラ部１２を向けた場合、被写体人物は、表示部１０を視認可能であり、撮影者は表示部２０を視認可能である。表示部１０および表示部２０は、それぞれ、カメラ部１２の起動時にスルー画を表示する。ただし、表示部１０のスルー画は、表示部２０のスルー画を左右反転させた画像（鏡面画像）となる。
【００２４】
＜情報処理装置１００の構成＞
図３は、情報処理装置１００の構成の一例を示すブロック図である。
【００２５】
図３において、情報処理装置１００は、上述した、カメラ部１２、表示部１０、および表示部２０に加えて、以下の各部を有する。すなわち、情報処理装置１００は、操作部１３、被写体人物領域分割部３、マーカ情報生成部４、管理部５、内包矩形情報生成部６、ズーム設定部７、および画像処理部８を有する。以下、各部について説明する。
【００２６】
操作部１３は、ユーザの操作を受け付ける。操作部１３の例としては、上述した通り、タッチパネル、物理キーが挙げられる。操作部１３は、操作マーカの表示を開始する操作、または、操作マーカの表示を終了する操作を受け付けると、その旨を管理部５へ通知する。また、操作部１３は、操作マーカの表示開始後に、操作マーカの表示位置を指定する操作（以下「位置指定操作」という）を受け付けると、指定された位置を示す情報（以下「位置指定情報」という）を、マーカ情報生成部４へ送る。
【００２７】
ここで、操作マーカとは、スルー画において被写体人物の誘導先の位置を示すマーカである。撮影者は、操作部１３にて位置指定操作を行うことにより、スルー画において操作マーカの表示位置を指定できる。すなわち、撮影者は、スルー画において、操作マーカの表示位置を、被写体人物を誘導したい位置として任意に指定することができる。
【００２８】
マーカ情報生成部４は、管理部５から操作マーカの表示開始指示を受けた場合、または、操作部１３から位置指定情報を受け取った場合、第１の画面上位置情報を生成し、管理部５へ送る。第１の画面上位置情報とは、スルー画上の操作マーカの位置を示す情報である。なお、マーカ情報生成部４は、管理部５から操作マーカの表示開始指示を受けた場合、予め定められた位置（デフォルト設定の位置）を示す第１の画面上位置情報を生成する。一方で、操作部１３から位置指定情報を受け取った場合、マーカ情報生成部４は、位置指定情報と同じ位置を示す第１の画面上位置情報を生成する。
【００２９】
また、マーカ情報生成部４は、管理部５からマーカ情報の生成要求を受けると、操作マーカ情報および被写体マーカ情報を生成し、管理部５へ送る。
【００３０】
ここで、操作マーカ情報とは、画像処理部８が操作マーカを描画するために使用される情報である。例えば、操作マーカ情報は、操作マーカの、色、形状、およびスルー画での表示位置（第１の画面上位置情報）を含む。操作マーカの色は、予め定められた色でもよいし、または、スルー画の色相（操作マーカの表示が予定される位置の色相）に応じて変化させた色でもよい。操作マーカの形状は、予め定められた形状でもよいし、または、ユーザが指定した形状でもよい。
【００３１】
また、被写体マーカ情報とは、画像処理部８が被写体マーカを描画するために使用される情報である。例えば、被写体マーカ情報は、被写体マーカの、色、形状、およびスルー画での表示位置（第２の画面上位置情報）を含む。被写体マーカの色は、予め定められた色でもよいし、または、スルー画の色相（被写体マーカの表示が予定される位置の色相）に応じて変化させた色でもよい。被写体マーカの形状は、予め定められた形状でもよいし、または、ユーザが指定した形状でもよい。また、被写体マーカとは、スルー画において被写体人物の現在位置を示すマーカである。被写体マーカは、スルー画において、例えば、被写体人物に重畳されて表示される。よって、被写体マーカは、スルー画の被写体人物の位置が変われば、それに付随して被写体マーカの表示位置も変わる。
【００３２】
被写体人物領域分割部３は、カメラ部１２から出力されたスルー画を受け取る。そして、被写体人物領域分割部３は、スルー画に対して領域分割処理を施して、被写体人物の領域（以下、単に「被写体人物」という）を抽出する。被写体人物の領域を認識する技術は、既存技術を適用できる。既存技術の例は、顔認識技術、または、画像セグメンテーション法（Image Segmentation）を用いた領域認識技術などが挙げられる。そして、被写体人物領域分割部３は、抽出した被写体人物の、スルー画上の位置を特定し、その位置を示す第２の画面上位置情報を生成する。そして、被写体人物領域分割部３は、第２の画面上位置情報を管理部５へ送る。
【００３３】
管理部５は、操作部１３から操作マーカの表示を開始する旨の通知を受けると、誘導機能を開始するとともに、操作マーカの表示開始指示をマーカ情報生成部４へ送る。一方、管理部５は、操作部１３から操作マーカの表示を終了する旨の通知を受け付けると、誘導機能を終了する。誘導機能とは、被写体人物がスルー画において操作マーカおよび被写体マーカを視認できるようにし、かつ、撮影者がスルー画において操作マーカの位置を指定できるようにする機能である。
【００３４】
また、管理部５は、マーカ情報生成部４から第１の画面上位置情報を受け取り、被写体人物領域分割部３から第２の画面上位置情報を受け取る。そして、管理部５は、第１の画面上位置情報および第２の画面上位置情報とともに、内包矩形情報の生成要求を内包矩形情報生成部６へ送る。内包矩形情報については、後述する。
【００３５】
また、管理部５は、ズーム設定部７から内包矩形情報およびズーム情報を受け取ると、第１の画面上位置情報および第２の画面上位置情報とともに、マーカ情報の生成要求をマーカ情報生成部４へ送る。そして、管理部５は、マーカ情報生成部４から操作マーカ情報および被写体マーカ情報を受け取ると、ズーム情報、内包矩形情報、操作マーカ情報、および被写体マーカ情報とともに、マーカの表示要求を画像処理部８へ送る。
【００３６】
内包矩形情報生成部６は、管理部５から、第１の画面上位置情報および第２の画面上位置情報とともに、内包矩形情報の生成要求を受け取ると、内包矩形情報を生成する。内包矩形情報とは、スルー画において、操作マーカと被写体人物を含む矩形（後述する図５Ａ参照）を示す情報である。この矩形は、「内包矩形」または「包含領域」ともいう。内包矩形情報生成部６は、生成した内包矩形情報を、ズーム設定部７へ送る。
【００３７】
ズーム設定部７は、内包矩形情報生成部６から内包矩形情報を受け取ると、内包矩形情報が示す矩形のサイズおよび表示部１０の画面サイズに基づいて、ズームの倍率を決定する。例えば、ズーム設定部７は、表示部１０の画面サイズの範囲内で、矩形が最大となる倍率を決定する。そして、ズーム設定部７は、決定したズームの倍率を示すズーム情報を生成し、内包矩形情報とともに管理部５へ送る。
【００３８】
画像処理部８は、カメラ部１２からスルー画を受け取る。また、画像処理部８は、管理部５から、ズーム情報、内包矩形情報、操作マーカ情報、および被写体マーカ情報とともに、マーカの表示要求を受け取る。そして、画像処理部８は、管理部５からの各情報に基づいて、カメラ部１２からのスルー画に対して画像処理を施し、表示部１０および２０にそれぞれ表示させる。ここで、画像処理部８が有する各部について、以下に説明する。
【００３９】
画像処理部８は、スルー画反転部８１、ズーム処理部８２、マーカ描画部８３、および画像合成部８４を有する。
【００４０】
スルー画反転部８１は、カメラ部１２から出力されたスルー画を受け取ると、そのスルー画を、表示部１０に表示するために反転させる。なお、以下では、表示部１０に表示される、反転処理を施したスルー画は、「第１スルー画」という。一方、表示部２０に表示される、反転処理を施していないスルー画は、「第２スルー画」という。第１スルー画は、被写体人物が視認可能であり、第２スルー画は、撮影者が視認可能である。
【００４１】
ズーム処理部８２は、スルー画のデジタルズーム（ズームイン、ズームアウト）を行う。例えば、ズーム処理部８２は、管理部５から受け取ったズーム情報および内包矩形情報に基づいて、第１スルー画において、内包矩形情報が示す矩形を拡大させる。なお、このとき、ズーム処理部８２は、矩形のアスペクト比が、表示部１０のアスペクト比と異なる場合は、表示部１０の中央に矩形が位置するように拡大してもよい。
【００４２】
マーカ描画部８３は、管理部５から受け取った操作マーカ情報および被写体マーカ情報に基づいて、操作マーカおよび被写体マーカを描画する。
【００４３】
画像合成部８４は、矩形を拡大表示した第１スルー画に対し、操作マーカおよび被写体マーカを合成する。また、画像合成部８４は、第２スルー画に対し、操作マーカおよび被写体マーカを合成する。その後、画像合成部８４は、第１スルー画を表示部１０へ、第２スルー画を表示部２０へ、それぞれ出力する。これにより、表示部１０は、操作マーカおよび被写体マーカを含む第１スルー画を表示し、表示部２０は、操作マーカおよび被写体マーカを含む第２スルー画を表示する。
【００４４】
なお、図３において、カメラ部１２および操作部１３を除く各部は、まとめて「誘導機能部１４」と呼ぶことができる。
【００４５】
以上、情報処理装置１００の各部について説明した。
【００４６】
なお、情報処理装置１００は、図示しないが、例えば、ＣＰＵ（Central Processing Unit）、制御プログラムを格納したＲＯＭ（Read Only Memory）などの記憶媒体、およびＲＡＭ（Random Access Memory）などの作業用メモリを有する。この場合、上記した各部の機能は、ＣＰＵが制御プログラムを実行することにより実現される。
【００４７】
このように、情報処理装置１００は、撮影者がスルー画において操作マーカの表示位置を指定する操作を受け付け、かつ、被写体人物がスルー画の操作マーカおよび被写体マーカを視認できるように表示する。これにより、撮影者は、スルー画において誘導先の位置を詳細に指定できる。また、被写体人物は、操作マーカおよび被写体マーカを視認することで、誘導先の位置にスムーズに移動することができる。
【００４８】
また、情報処理装置１００は、第１スルー画に対して、操作マーカおよび被写体マーカを含む内包矩形を拡大表示する。これにより、被写体人物は、情報処理装置１００から離れている場合でも、スルー画の被写体マーカおよび操作マーカの視認が容易にできる。
【００４９】
＜情報処理装置１００の動作＞
図４は、情報処理装置１００の動作の一例を示すフローチャートである。
【００５０】
ステップＳ１０において、管理部５は、操作部１３から操作マーカの表示を開始する旨の通知を受けると、誘導機能を開始する。この際、操作部１３には、カメラを起動すると、誘導機能を使うか否かを選択させる等のＵ／Ｉ（画面）を設けてもよい。
【００５１】
ステップＳ１１において、マーカ情報生成部４は、管理部５からの操作マーカの表示開始指示または操作部１３からの位置指定情報を受けると、第１の画面上位置情報を生成する。マーカ情報生成部４が操作マーカの表示開始指示を受ける場合は、操作マーカがスルー画上に表示されていない状態の場合である。このようにスルー画上に操作マーカが未表示の場合、マーカ情報生成部４は、操作マーカの表示開始指示を受けると、予め定められた位置（デフォルト設定の位置）を示す第１の画面上位置情報を生成する。一方で、マーカ情報生成部４が位置指定情報を受け取る場合は、操作マーカがスルー画上に表示された後で、ユーザがスルー画上にて所望の位置（誘導先の位置）を指定した場合である。このようにスルー画上にて操作マーカの表示位置が指定された場合、マーカ情報生成部４は、操作部１３から位置指定情報を受け取ると、位置指定情報と同じ位置を示す第１の画面上位置情報を生成する。そして、マーカ情報生成部４は、第１の画面上位置情報を管理部５へ送る。その後、管理部５は、内包矩形情報の生成要求とともに第１の画面上位置情報を内包矩形情報生成部６へ送る。
【００５２】
ステップＳ１２において、被写体人物領域分割部３は、カメラ部１２からのスルー画に対して領域分割処理を施し、被写体人物の領域を抽出する。
【００５３】
ステップＳ１３において、被写体人物領域分割部３は、抽出した被写体人物の位置に基づいて、第２の画面上位置情報を生成する。そして、被写体人物領域分割部３は、第２の画面上位置情報を管理部５へ送る。その後、管理部５は、内包矩形情報の生成要求とともに第２の画面上位置情報を内包矩形情報生成部６へ送る。
【００５４】
ステップＳ１４において、内包矩形情報生成部６は、管理部５から内包矩形情報の生成要求を受けると、管理部５から受け取った第１の画面上位置情報と第２の画面上位置情報とに基づいて、内包矩形情報を生成する。次に、内包矩形情報生成部６は、生成した内包矩形情報を、ズーム設定部７へ送る。
【００５５】
ステップＳ１５において、ズーム設定部７は、内包矩形情報が示す矩形のサイズおよび表示部１０の画面サイズに基づいて、ズームの倍率を決定する。そして、ズーム設定部７は、決定したズームの倍率を示すズーム情報を生成し、内包矩形情報とともに管理部５へ送る。その後、管理部５は、マーカ情報の生成要求とともに、第１の画面上位置情報および第２の画面上位置情報をマーカ情報生成部４へ送る。
【００５６】
ステップＳ１６において、マーカ情報生成部４は、管理部５からマーカ情報の生成要求を受けると、管理部５から受け取った第１の画面上位置情報と第２の画面上位置情報とに基づいて、操作マーカ情報および被写体マーカ情報を生成する。次に、マーカ情報生成部４は、操作マーカ情報および被写体マーカ情報を管理部５へ送る。その後、管理部５は、ズーム情報、内包矩形情報、操作マーカ情報、および被写体マーカ情報とともに、マーカの表示要求を画像処理部８へ送る。
【００５７】
ステップＳ１７において、画像処理部８は、管理部５から受け取った各情報に基づいて、カメラ部１２からのスルー画に対して画像処理を行う。そして、画像処理部８は、表示部１０に第１スルー画を、表示部２０に第２スルー画を表示させる。なお、画像処理部８は、操作マーカと被写体マーカを、同じタイミングで表示してもよいし、異なるタイミングで表示してもよい。すなわち、画像処理部８は、被写体マーカを、操作マーカの表示よりも先に表示してもよいし、操作マーカの表示よりも後に表示してもよい。
【００５８】
ステップＳ１８において、管理部５は、誘導機能を終了するか否かを決定する。管理部５は、例えば、操作部１３から操作マーカの表示を終了する旨の通知を受けた場合、または、マーカ情報生成部４から第１の画面上位置情報を一定期間受け取らなかった場合、誘導機能を終了することを決定する。
【００５９】
誘導機能の終了が決定した場合（Ｓ１８：ＹＥＳ）、フローは、終了する。一方、誘導機能の終了が決定しない場合（Ｓ１８：ＮＯ）、フローは、ステップＳ１１へ戻る。なお、ステップＳ１１−Ｓ１８の誘導機能処理は、被写体人物が操作マーカ４１の誘導が完了するまで繰り返し行われてもよい。この際、第１スルー画は、被写体人物が操作マーカに近づくに伴い、内包矩形情報及びズームの倍率が変化することになる。
【００６０】
ここで、表示部１０に表示される第１スルー画、および、表示部２０に表示される第２スルー画の例について、図５を用いて説明する。図５Ａは、撮影者が視認する第２スルー画の例を示す図であり、図５Ｂは、被写体人物が視認する第１スルー画の例を示す図である。
【００６１】
図５Ａにおいて、３０は被写体人物、４１は操作マーカ、５０は内包矩形情報で定義される矩形を示す。ただし、矩形５０は、被写体人物３０および操作マーカ４１を含むことを説明するための図示であり、第２スルー画には表示されない。操作マーカ４１は、例えば、楕円型である。なお、操作マーカ４１は、楕円の枠のみの表示としているが、楕円を塗りつぶした表示であってもよい。撮影者は、表示部２０に表示されるスルー画の範囲内で、操作マーカ４１の表示位置を自由に変更できる。そして、撮影者が、操作マーカ４１の表示位置の指定を終了すると、その時点でのスルー画に対して、指定された操作マーカ４１の表示位置が固定される。よって、撮影者が情報処理装置１００を動かしてスルー画がずれたとしても、操作マーカ４１の表示位置は、ずれる前のスルー画に対して固定されたままとなる。このような操作マーカ４１の表示位置固定処理は、例えば、画像処理部８の画像合成部８４が行う。
【００６２】
図５Ｂにおいて、３０は被写体人物、３１は被写体マーカ、４１は操作マーカを示す。図５Ｂに示す第１スルー画は、図５Ａに示す矩形５０が拡大表示され、アスペクト比が調整された画像である。被写体マーカ３１は、被写体人物の輪郭に沿った形状である。なお、被写体マーカ３１は、被写体人物の輪郭のみの表示としているが、輪郭を塗りつぶした表示であってもよい。
【００６３】
上述した通り、図５Ｂに示す第１スルー画は、図５Ａに示す第２スルー画の鏡面画像である。よって、図５Ａにおいて、撮影者が操作マーカ４１を右方向へ移動させた場合、その移動に連動して、図５Ｂにおいて、操作マーカ４１が左方向へ移動する。なお、操作マーカ４１の移動および内包矩形の大きさの変化は、撮影者が操作マーカ４１の表示位置の指定操作を一旦終えた後で行われてもよい。または、操作マーカ４１の移動および内包矩形の大きさの変化は、撮影者が操作マーカ４１の表示位置の指定操作を行っている最中に、その操作と連動してリアルタイムに行われてもよい。
【００６４】
以上のように、本実施の形態に係る情報処理装置１００は、撮影者がスルー画において操作マーカの表示位置を指定する操作を受け付け、かつ、被写体人物がスルー画の操作マーカおよび被写体マーカを視認できるように表示する。これにより、撮影者は、スルー画において誘導先の位置を詳細に指定できる。また、被写体人物は、操作マーカおよび被写体マーカを視認することで、所望の誘導先にスムーズに移動することができる。
【００６５】
また、情報処理装置１００は、操作マーカおよび被写体マーカを含む矩形を拡大表示する。これにより、被写体人物は、情報処理装置１００から離れている場合でも、スルー画の被写体マーカおよび操作マーカの視認が容易となり、被写体人物を所望の位置にスムーズに誘導することができる。
【００６６】
（実施の形態２）
実施の形態１の情報処理装置は、１つの誘導機能を実行する例とした。これに対し、本実施の形態の情報処理装置は、操作マーカと被写体マーカとの距離に応じて、例えば、３つの誘導機能の中から１つの誘導機能を選択して実行する。
【００６７】
＜情報処理装置１００の外観＞
本実施の形態の情報処理装置１００の外観は、図１に示すものと同様であるので、その説明は省略する。また、情報処理装置１００は、図２で説明したように、第１の形態と第２の形態の切り換えが可能である。
【００６８】
＜情報処理装置１００の構成＞
図６は、本実施の形態の情報処理装置１００の構成の一例を示すブロック図である。図６に示す情報処理装置１００は、図３に示す情報処理装置１００の構成に対し、測距センサ１５および測距情報処理部１６を追加した構成である。なお、図６において、図３の構成と同じ部については同一符号を付し、ここでの説明は省略する。ただし、同一符号を付した部でも、実施の形態１で説明した機能以外の機能を持つ部については、その機能について以下に説明する。
【００６９】
測距センサ１５は、撮影対象から反射された光（例えば、赤外線、近赤外線、レーザ光など）を評価・演算し、距離に換算した結果を示す全画面測距情報を、測距情報処理部１６へ送る。全画面測距情報は、例えば、測距値を明度に換算して画像上に表現したデプス画像が挙げられる。なお、測距センサ１５は、カメラ部１２と一緒の構成であってもよい。そのような構成は、例えば、単眼カメラ、ステレオカメラ、あるいは、距離画像とＲＧＢ画像を同時に取得するカメラなどが挙げられる。
【００７０】
測距情報処理部１６は、測距センサ１５からの全画面測距情報と、管理部５からの第１の画面上位置情報とに基づいて、情報処理装置１００と操作マーカとの間の距離（以下「第１の距離」という）を算出する。そして、測距情報処理部１６は、算出した第１の距離を示す第１の距離情報を生成し、管理部５へ送る。
【００７１】
また、測距情報処理部１６は、測距センサ１５からの全画面測距情報を、被写体人物領域分割部３へ送る。
【００７２】
被写体人物領域分割部３は、予め生成した第２の画面上位置情報と、測距情報処理部１６からの全画面測距情報とに基づいて、情報処理装置１００と被写体人物との間の距離（以下「第２の距離」という）を算出する。そして、被写体人物領域分割部３は、算出した第２の距離を示す第２の距離情報を生成し、管理部５へ送る。
【００７３】
管理部５は、マーカ情報生成部４から第１の画面上位置情報を受け取ると、それを測距情報処理部１６へ送る。
【００７４】
また、管理部５は、測距情報処理部１６から第１の距離情報を受け取り、かつ、被写体人物領域分割部３から第２の距離情報を受け取る。次に、管理部５は、第１の距離情報および第２の距離情報に基づいて、操作マーカと被写体マーカとの間の距離（以下「算出距離」という）を算出する。この算出距離は、操作マーカと被写体マーカとが、スルー画の実際の場所に存在すると仮定した場合の距離を示す。次に、管理部５は、算出距離と、誘導機能選択テーブルとに基づいて、誘導機能選択を行う。誘導機能選択とは、予め用意した３つの誘導機能の中から、これから実行すべき誘導機能を１つ選択する動作である。
【００７５】
ここで、誘導機能選択テーブルの例について説明する。図８は、誘導機能選択テーブルの例を示す図である。管理部５は、図８に示す誘導機能選択テーブルを有する。
【００７６】
図８において、誘導機能選択テーブルは、算出距離８００と誘導機能８０１とが対応付けられている。管理部５は、図８の誘導機能選択テーブルを参照して、算出距離８００に対応付けられている誘導機能８０１を選択する。すなわち、算出距離が３ｍ未満である場合、管理部５は、通常誘導機能を選択する。また、算出距離が３ｍ以上６ｍ未満である場合、管理部５は、第１拡大誘導機能を選択する。また、算出距離が６ｍ以上である場合、管理部５は、第２拡大誘導機能を選択する。なお、図８は、例えば、カメラと操作マーカのとの距離が３ｍの場合の一例であり、カメラと操作マーカとの距離に応じて、誘導機能選択テーブルを適宜変更してもよい。
【００７７】
以上で、誘導機能選択テーブルの例の説明を終える。
【００７８】
さらに、ここで、３つの誘導機能の例について説明する。図５は、第１拡大誘導機能の実行時のスルー画の表示例を示す図である。図９は、通常誘導機能の実行時のスルー画の表示例を示す図である。図１０は、第２拡大誘導機能の実行時のスルー画の表示例を示す図である。なお、以下に説明する各誘導機能の実行時のスルー画の表示は、画像処理部８の制御によって行われる。
【００７９】
第１拡大誘導機能は、実施の形態１で説明した誘導機能である。すなわち、図５を用いて説明したように、第１拡大誘導機能は、操作マーカ４１および被写体人物を含む矩形を、被写体人物側の表示部１０に拡大表示する機能である。
【００８０】
通常誘導機能は、拡大表示を行わず、第１スルー画と第２スルー画を等倍で表示する誘導機能である。この表示の例は、図９に示す。図９Ａは、第２スルー画の表示例を示し、図９Ｂは、第１スルー画の表示例を示している。図９Ｂに示す第１スルー画は、図９Ａに示す第２スルー画の等倍の鏡面画像である。図９Ａ及び図９Ｂにおいて、操作マーカ４１および被写体マーカ３１は、実施の形態１にて説明済みであるので、ここでの説明は省略する。
【００８１】
第２拡大誘導機能は、第１拡大誘導機能の拡大表示よりもさらに第１スルー画を拡大して表示する誘導機能である。この表示の例は、図１０に示す。図１０Ａおよび図１０Ｂはともに、第１スルー画の表示例を示している。図１０Ａにおいて、第１スルー画は、被写体人物３０を中心として拡大表示される。このとき、第１スルー画には、被写体マーカ３１も表示される。また、操作マーカ４２は、矢印の形状に表示される。矢印の方向は、被写体人物の誘導先の方向を示す。被写体人物３０は、図１０Ａの第１スルー画を視認して、操作マーカ４２が示す方向へ移動する。そして、被写体人物３０が誘導先の位置へ近づく移動に伴って、第１スルー画は、ズームアウトされて図１０Ｂに示す表示になる。図１０Ｂに示すスルー画は、通常誘導機能の第１スルー画と同じである。すなわち、矢印の形状であった操作マーカ４２は、誘導先の位置を示す楕円型の操作マーカ４１に切り替わる。なお、ここでは、操作マーカ４２の形状を矢印にすることで、被写体人物３０に移動方向を示す例としたが、これに限定されない。例えば、第２拡大誘導機能は、第２スルー画自体を一時的に別の画面に切り替え、その画面で「前進」などの文字を表示することにより、被写体人物３０に移動方向を示すようにしてもよい。
【００８２】
以上で、３つの誘導機能の例の説明を終える。
【００８３】
また、管理部５は、誘導機能選択の結果、通常誘導機能を選択した場合、第２の画面上位置情報とともに、マーカ情報の生成要求をマーカ情報生成部４へ送る。
【００８４】
また、管理部５は、誘導機能選択の結果、第１拡大誘導機能を選択した場合、第１の画面上位置情報および第２の画面上位置情報とともに、内包矩形情報の生成要求を内包矩形情報生成部６へ送る。
【００８５】
また、管理部５は、誘導機能選択の結果、第２拡大誘導機能を選択した場合、第２の画面上位置情報とともに、ズーム情報の生成要求をズーム設定部７へ送る。
【００８６】
ズーム設定部７は、管理部５から、ズーム情報の生成要求とともに第２の画面上位置情報を受け取る。そして、ズーム設定部７は、第２の画面上位置情報が示す被写体人物の位置および表示部１０の画面サイズに基づいて、ズームの倍率を決定する。例えば、ズーム設定部７は、表示部１０の画面サイズの範囲内で、被写体人物の表示が最大となる倍率を決定する。そして、ズーム設定部７は、決定したズームの倍率を示すズーム情報を生成し、管理部５へ送る。
【００８７】
マーカ情報生成部４は、管理部５からの第２の画面上位置情報が所定の閾値以上であった場合、操作マーカの形状を矢印の形状に決定し、その旨を含む操作マーカ情報を生成する。
【００８８】
＜情報処理装置１００の動作＞
図７は、情報処理装置１００の動作の一例を示すフローチャートである。なお、図７において、図４と同じステップには同一符号を付し、ここでの詳細な説明は省略する。
【００８９】
ステップＳ１０〜Ｓ１３は、図４にて説明済みであるので、ここでの説明は省略する。
【００９０】
ステップＳ２４において、被写体人物領域分割部３は、ステップＳ１３で生成した第２の画面上位置情報と、測距情報処理部１６から受け取った全画面測距情報とに基づいて、第２の距離を算出する。そして、被写体人物領域分割部３は、算出した第２の距離を示す第２の距離情報を生成し、管理部５へ送る。
【００９１】
ステップＳ２５において、測距情報処理部１６は、管理部５から受け取った第１の画面上位置情報と、測距センサ１５から受け取った全画面測距情報とに基づいて、第１の距離を算出する。そして、測距情報処理部１６は、算出した第１の距離を示す第２の距離情報を生成し、管理部５へ送る。
【００９２】
ステップＳ２６において、管理部５は、測距情報処理部１６から受け取った第１の距離情報と、人物領域分割部３から受け取った第２の距離情報とに基づいて、操作マーカと被写体マーカとの間の距離（算出距離）を算出する。そして、管理部５は、算出距離と、誘導機能選択テーブルとに基づいて、誘導機能選択を行う。
【００９３】
誘導機能選択の結果が第１拡大誘導機能である場合（Ｓ２６：第１拡大）、フローは、ステップＳ１４へ進む。なお、ステップＳ１４およびＳ１５は、図４にて説明済みであるので、ここでの説明は省略する。
【００９４】
誘導機能選択の結果が通常機能である場合（Ｓ２６：通常）、フローは、ステップＳ２８へ進む。
【００９５】
誘導機能選択の結果が第２拡大誘導機能である場合（Ｓ２６：第２拡大）、フローは、ステップＳ２７へ進む。
【００９６】
ステップＳ２７において、ズーム設定部７は、管理部５から受け取った第２の画面上位置情報に基づいて、ズームの倍率を決定する。そして、ズーム設定部７は、決定したズームの倍率を示すズーム情報を生成し、管理部５へ送る。
【００９７】
ステップＳ２８〜Ｓ３０は、図４のステップＳ１６〜Ｓ１８で説明した動作と同じであるので、その説明は省略する。ただし、ステップＳ２８において、マーカ情報生成部４は、管理部５からの第２の画面上位置情報が所定の閾値以上であった場合、操作マーカの形状を矢印の形状に決定し、その旨を含む操作マーカ情報を生成する。
【００９８】
なお、本実施の形態では、操作マーカと被写体マーカとの間の距離に応じて、誘導機能選択の選択をすることを説明したが、カメラと被写体マーカとの間の距離に応じて、誘導機能選択の選択をするようにしてもよい。
【００９９】
以上のように、本実施の形態に係る情報処理装置１００は、実施の形態１の効果に加えて、以下の効果を奏する。すなわち、情報処理装置１００は、操作マーカと被写体マーカとの間の距離に応じて、３つの誘導機能の中から適切な誘導機能を選択する。これにより、被写体人物は、情報処理装置１００から離れた位置にいても、操作マーカの視認が容易となり、被写体人物を所望の位置にスムーズに誘導することができる。
【０１００】
（実施の形態１、２の変形例）
以上、本実施の形態１、２についてそれぞれ説明したが、上記説明は一例であり、種々の変形が可能である。以下、本実施の形態１〜３の変形例について説明する。
【０１０１】
例えば、情報処理装置１００の動作は、ハードウェアとの連携において、ソフトウェアでも実現することも可能である。
【０１０２】
また、情報処理装置１００は、第１形態から第２形態への変形、および、第２形態から第１形態への変形を可能とする端末の例としたが、これに限定されない。例えば、情報処理装置１００は、常時第２形態である端末であってもよい。また、２つの表示部は必ずしも、背中合わせである必要はない。すなわち、２つの表示部は、撮影の際において、被写体人物が表示部の１つを視認でき、かつ、撮影者がもう１つの表示部を視認できる形態であればよい。
【０１０３】
また、情報処理装置１００は、第１スルー画において、操作マーカとともに被写体マーカを表示するようにしたが、被写体マーカの表示は必須でなくてもよい。また、情報処理装置１００は、第２スルー画において、操作マーカのみを表示するようにしたが、操作マーカとともに被写体マーカを表示してもよい。
【０１０４】
また、情報処理装置１００では、管理部５が誘導機能の開始および終了を決定する例としたが、管理部５以外の独立した部（例えば、誘導機能開始部）を設け、その部が誘導機能の開始および終了を決定するようにしてもよい。
【０１０５】
また、情報処理装置１００は、複数の被写体人物が第１スルー画および第２スルー画に含まれる場合、撮影者が誘導したい被写体人物を選択する操作（以下「人物選択操作」という）を操作部１３にて受け付けるようにしてもよい。この場合の構成例は、図１１に示す。図１１は、実施の形態２の構成に対し、被写体人物選択部１８を追加した構成である。被写体人物選択部１８は、操作部１３から人物選択操作を受け付けた旨の通知を受けると、選択された人物に関する選択人物情報を被写体人物領域分割部３へ送る。この選択人物情報は、例えば、選択された人物のスルー画上の位置を示す座標情報、または、選択された人物を顔認識した結果を示す顔認識情報、などが挙げられる。被写体人物領域分割部３は、選択人物情報に基づいて、被写体マーカを付す対象となる被写体人物を特定し、抽出する。このようにして、被写体マーカは、複数の被写体人物のうち、撮影者が選択した人物に対して付される。なお、被写体マーカは、複数の被写体人物に対して、それぞれ付すことができるようにしてもよい。その場合、被写体マーカは、被写体マーカの色および形状の少なくとも一方を、被写体人物ごとに異なるようにしてもよい。また、操作マーカは、複数表示してもよい。その場合、操作マーカは、被写体マーカの色および形状の少なくとも一方とペアにしてもよい。
【０１０６】
また、情報処理装置１００は、被写体人物が、第１スルー画中に設定された操作マーカから遠ざかった場合、または、その操作マーカへ近づいて移動してきながら通り過ぎた場合、以下の制御を行うようにしてもよい。例えば、情報処理装置１００は、操作マーカを点滅させたり、または、操作マーカの色および形状の少なくとも一方を変更したりしてもよい。これにより、被写体人物の注意を喚起することができる。
【０１０７】
また、実施の形態１、２において、撮影者と被写体人物は、同一人物であってもよいし（すなわち、自分撮り）、異なる人物であってもよい。
【０１０８】
以上、本開示の情報処理装置は、カメラ部と、撮影者が視認可能な第１表示部と、前記第１表示部とは別に、被写体人物が視認可能な第２表示部とを備え、前記カメラ部で撮影されるスルー画を、前記第１表示部および前記第２表示部のそれぞれに表示する情報処理装置であって、前記被写体人物の現在位置を示す被写体マーカと、前記被写体人物の誘導先を示し、前記撮影者が前記スルー画での表示位置を任意に指定可能な操作マーカとを生成するマーカ生成部と、前記被写体マーカおよび前記操作マーカを含む内包矩形を生成する内包矩形生成部と、表示するスルー画に前記被写体マーカおよび前記操作マーカを合成し、前記第１表示部はそのまま表示し、前記第２表示部は予め定められた倍率に基づいて前記内包矩形を拡大表示する画像処理部と、を備える、ものである。
【０１０９】
また、本開示の情報処理装置は、前記カメラ部と前記操作マーカとの間の距離に基づいて、前記画像処理部に実行させる前記第２表示部の誘導機能を切り替える誘導機能選択部をさらに有し、前記誘導機能選択部は、前記距離が第１閾値未満である場合、前記第２表示部に表示するスルー画に前記被写体マーカおよび前記操作マーカを合成して表示する通常誘導機能を選択し、前記距離が前記第１閾値以上第２閾値未満である場合、前記第２表示部に表示するスルー画に前記被写体マーカおよび前記操作マーカを合成し、予め定められた倍率に基づいて前記包含領域を拡大表示する第１拡大誘導機能を選択し、前記距離が前記第２閾値以上である場合、前記第２表示部に表示するスルー画に前記被写体マーカおよび前記操作マーカを合成し、予め定められた倍率に基づいて前記被写体マーカを中心にして拡大表示する第２拡大誘導機能を選択する、ものである。
【０１１０】
また、本開示の情報処理装置は、前記画像処理部が、前記第２拡大誘導機能の実行時、前記操作マーカを、前記誘導先の方向を示す形状で表示し、前記被写体人物が前記誘導先の位置に近づく移動に伴って、前記第２表示部のスルー画をズームアウトし、前記誘導先の方向を示す形状から、前記誘導先の位置を示す形状に変更して表示する、ものである。
【０１１１】
また、本開示の情報処理装置は、前記画像処理部が、前記操作マーカの表示位置が指定されると、その時点でのスルー画において前記指定された操作マーカの表示位置を固定する、ものである。
【０１１２】
また、本開示の情報処理装置は、前記マーカ生成部が、前記操作マーカおよび前記被写体マーカの色を、前記スルー画において前記操作マーカおよび前記被写体マーカの表示が予定される位置の色に応じて変化させる、ものである。
【０１１３】
また、本開示の情報処理装置は、前記マーカ生成部が、前記第２表示部のスルー画に前記被写体人物が複数表示されている場合、選択された被写体人物に対して前記被写体マーカを生成する、ものである。
【０１１４】
また、本開示の情報処理装置は、前記第１表示部と前記第２表示部とは背中合わせであり、前記第１表示部のスルー画と、前記第２表示部のスルー画とは、左右が反転して表示される、ものである。
【０１１５】
また、本開示の情報処理方法は、カメラ部と、撮影者が視認可能な第１表示部と、前記第１表示部とは別に、被写体人物が視認可能な第２表示部とを備え、前記カメラ部で撮影されるスルー画を、前記第１表示部および前記第２表示部のそれぞれに表示する装置が行う情報処理方法であって、前記被写体人物の現在位置を示す被写体マーカと、前記被写体人物の誘導先を示し、前記撮影者が前記スルー画での表示位置を任意に指定可能な操作マーカとを生成するステップと、前記被写体マーカおよび前記操作マーカを含む内包矩形を生成するステップと、表示するスルー画に前記被写体マーカおよび前記操作マーカを合成し、前記第１表示部はそのまま表示し、前記第２表示部は予め定められた倍率に基づいて前記内包矩形を拡大表示するステップと、を有する、ものである。
【０１１６】
また、本開示の情報処理プログラムは、カメラ部と、撮影者が視認可能な第１表示部と、前記第１表示部とは別に、被写体人物が視認可能な第２表示部とを備え、前記カメラ部で撮影されるスルー画を、前記第１表示部および前記第２表示部のそれぞれに表示する装置のコンピュータに実行させる情報処理プログラムであって、前記被写体人物の現在位置を示す被写体マーカと、前記被写体人物の誘導先を示し、前記撮影者が前記スルー画での表示位置を任意に指定可能な操作マーカとを生成する処理と、前記被写体マーカおよび前記操作マーカを含む内包矩形を生成する処理と、表示するスルー画に前記被写体マーカおよび前記操作マーカを合成し、前記第１表示部はそのまま表示し、前記第２表示部は予め定められた倍率に基づいて前記内包矩形を拡大表示する処理と、を実行させる、ものである。
【産業上の利用可能性】
【０１１７】
本発明は、表示部およびカメラを備えた端末に適用される、情報処理装置、情報処理方法、および情報処理プログラムとして有用である。
【符号の説明】
【０１１８】
１、２  筐体
３  被写体人物領域分割部
４  マーカ情報生成部
５  管理部
６  内包矩形情報生成部
７  ズーム設定部
８  画像処理部
１０、２０  表示部
１２  カメラ部
１３  操作部
１４  誘導機能部
１５  測距センサ
１６  測距情報処理部
１７  ヒンジ
１８  被写体人物選択部
３０  被写体人物
３１  被写体マーカ
４１、４２  操作マーカ
８１  スルー画反転部
８２  ズーム処理部
８３  マーカ描画部
８４  画像合成部
１００  情報処理装置
【図１】
2014027578.tif 000003
【図２】
2014027578.tif 000004
【図３】
2014027578.tif 000005
【図４】
2014027578.tif 000006
【図５】
2014027578.tif 000007
【図６】
2014027578.tif 000008
【図７】
2014027578.tif 000009
【図８】
2014027578.tif 000010
【図９】
2014027578.tif 000011
【図１０】
2014027578.tif 000012
【図１１】
2014027578.tif 000013